(57)【特許請求の範囲】
【請求項１】
表面シート、裏面シート及び該表面シートと該裏面シートとの間に配置された吸収体を備え、長手方向の中央域に位置する股下部と該股下部から長手方向の前後に延出する腹側部及び背側部とを有し、該背側部の幅方向の両側縁部に一対のファスニングテープが設けられている吸収性物品であって、
前記背側部には、前記吸収体の端縁よりも長手方向の外方に延出しており且つ幅方向に延びるエンドフラップ部が形成されており、
前記背側部には、２枚のシート間に複数の弾性部材が伸長状態で固定されてなり、且つ幅方向に沿って伸縮可能な弾性シートが、前記表面シートの肌当接面側に配置されており、
前記弾性シートは、前記吸収体と平面視において重なる領域以外の領域であって且つ前記エンドフラップ部を含む領域において、該弾性シートの非肌当接面が、該非肌当接面と対向する部材に接合されているとともに、該弾性シートが該吸収体と平面視において重なる領域において、前記表面シートと非接合状態になっており、
前記物品の長手方向に沿う両側部それぞれに防漏カフが配置されており、該防漏カフは、前記弾性シートの肌当接面側に位置しており、
前記防漏カフと前記弾性シートとは、両者が重なる位置において接合されており、
前記吸収体は、背側部の端部域における幅方向中央域に、該端部域の端縁から前記股下部側に向かうに連れて幅が漸減する形状の低坪量部を有し、該低坪量部の坪量は、該吸収体の平均坪量に対して３０質量％以下であり、
一対の前記ファスニングテープそれぞれの固定部どうしの間で画定される幅方向に延びる領域内に、前記弾性シートを構成する前記弾性部材の少なくとも一つが含まれるとともに、前記吸収体の前記端部域が含まれ、且つ該領域を越えて前記股下部寄りの位置に、前記低坪量部の股下部側先端部が位置している、吸収性物品。
【請求項２】
平面視において前記弾性シートの幅方向の各側縁部と、一対の前記ファスニングテープそれぞれの前記固定部とが重なっている請求項１に記載の吸収性物品。
【請求項３】
前記防漏カフの自由端に、長手方向に延びる弾性部材が伸長状態で固定されており、
前記背側部において、前記弾性部材の端部が、前記弾性シートの配置領域に位置している請求項１又は２に記載の吸収性物品。
【請求項４】
前記弾性シートと前記表面シートとの間で画成され且つ股下部側に向けて開口したポケット状の空間が形成されている請求項１ないし３のいずれか一項に記載の吸収性物品。
【請求項５】
前記吸収体が、吸収性コアと、該吸収性コアの肌当接面及び非肌当接面を被覆する被覆シートとを有し、該被覆シートが液透過性の不織布からなる請求項１ないし４のいずれか一項に記載の吸収性物品。
【請求項６】
前記吸収体が、吸収性コアと、該吸収性コアの肌当接面及び非肌当接面を被覆する被覆シートとを有し、
前記吸収性コアに前記低坪量部が形成されており、
前記低坪量部の坪量がゼロであり、それによって該低坪量部においては、前記吸収性コアの肌当接面及び非肌当接面を被覆する前記被覆シートどうしが直接に接合されている請求項１ないし４のいずれか一項に記載の吸収性物品。
【発明の詳細な説明】
【技術分野】
【０００１】
本発明は使い捨ておむつなどの吸収性物品に関する。
【背景技術】
【０００２】
使い捨ておむつなどの吸収性物品において、背側部の左右両側縁部に一対のファスニングテープを設け、該ファスニングテープを腹側部の外面に設けられた被着部に止着するタイプのものが知られている。また、この種の吸収性物品において、背側部に、幅方向に伸縮可能であり且つ起立性向を有する弾性シートを配置して、背側部の端部からの排泄物の漏れを防止するようにしたものも知られている。
【０００３】
例えば特許文献１には、背側部に、背側弾性部材を有する幅広のウエスト立体ガードが配した吸収性物品が記載されている。背側弾性部材の両端部は、ファスニングテープを背側部の側部に固定して形成された固定部に位置している。更に、この吸収性物品には、両側部に一対の立体ガードが配置されている。そして、この立体ガードの上に、前記のウエスト立体ガードが配置されている。
【０００４】
特許文献２には、後胴回り域に、製品幅方向において伸縮可能なシート状弾性要素が設けられている使い捨ておむつが記載されている。このシート状弾性要素は、吸収体よりも厚み方向の下側に配置されている。吸収体は、その後胴回り域に、該吸収体の他の部位よりも目付けが低いか、又は吸収性コアが存在しない低剛性領域を有している。低剛性領域は、おむつの平面視において楔形である。
【先行技術文献】
【特許文献】
【０００５】
【特許文献１】特開２００１−２４５９２２号公報
【特許文献２】特開２０１３−１３８７０２号公報
【発明の概要】
【発明が解決しようとする課題】
【０００６】
前記の各特許文献に記載されている吸収性物品によれば、背側部の端部からの排泄物の漏れはある程度は防止できる。しかし、背側部に配置された弾性シートの起立によって形成されるポケット状の空間を充分に広くすることができなかったり、あるいはポケット状の空間が開口する間口を充分に広くしたりすることができず、漏れを確実に防止するためには改善の余地があるものであった。
【０００７】
したがって本発明の課題は、起立性向を有する弾性シートが背側部に配された吸収性物品の改良にあり、更に詳細には、背側部の端部からの排泄物の漏れを一層確実に防止し得る吸収性物品を提供することにある。
【課題を解決するための手段】
【０００８】
本発明は、表面シート、裏面シート及び該表面シートと該裏面シートとの間に配置された吸収体を備え、長手方向の中央域に位置する股下部と該股下部から長手方向の前後に延出する腹側部及び背側部とを有し、該背側部の幅方向の両側縁部に一対のファスニングテープが設けられている吸収性物品であって、
前記背側部には、前記吸収体の端縁よりも長手方向の外方に延出しており且つ幅方向に延びるエンドフラップ部が形成されており、
前記背側部には、２枚のシート間に複数の弾性部材が伸長状態で固定されてなり、且つ幅方向に沿って伸縮可能な弾性シートが、前記表面シートの肌当接面側に配置されており、
前記弾性シートは、前記吸収体と平面視において重なる領域以外の領域であって且つ前記エンドフラップ部を含む領域において、該弾性シートの非肌当接面が、該非肌当接面と対向する部材に接合されているとともに、該弾性シートが該吸収体と平面視において重なる領域において、前記表面シートと非接合状態になっており、
前記物品の長手方向に沿う両側部それぞれに防漏カフが配置されており、該防漏カフは、前記弾性シートの肌当接面側に位置しており、
前記防漏カフと前記弾性シートとは、両者が重なる位置において接合されており、
前記吸収体は、背側部の端部域における幅方向中央域に、該端部域の端縁から前記股下部側に向かうに連れて幅が漸減する形状の低坪量部を有し、該低坪量部の坪量は、該吸収体の平均坪量に対して３０質量％以下であり、
一対の前記ファスニングテープそれぞれの固定部どうしの間で画定される幅方向に延びる領域内に、前記弾性シートを構成する前記弾性部材の少なくとも一つが含まれるとともに、前記吸収体の前記端部域が含まれ、且つ該領域を越えて前記股下部寄りの位置に、前記低坪量部の股下部側先端部が位置している、吸収性物品を提供するものである。
【発明の効果】
【０００９】
本発明によれば、背側部の端部からの排泄物の漏れを一層確実に防止し得る吸収性物品が提供される。
【図面の簡単な説明】
【００１０】
【図１】図１は、本発明の吸収性物品の一実施形態である展開型の使い捨ておむつを表面シート側から見た平面図である。
【図２】図２は、図１に示すおむつの分解斜視図である。
【図３】図３（ａ）は、吸収体の背側部における端部域を示す斜視図であり、図３（ｂ）は、図３（ａ）におけるｂ−ｂ線断面図である。
【図４】図４は、図１に示すおむつにおける背側部の要部を拡大して示す平面図である。
【図５】図５は、図１に示すおむつにおける背側部の要部を拡大して示す平面図（図４相当図）である。
【発明を実施するための形態】
【００１１】
以下本発明を、その好ましい実施形態に基づき図面を参照しながら説明する。図１には、本発明の一実施形態の使い捨ておむつが示されている。図２は、図１に示すおむつの分解斜視図である。これらの図に示すおむつは、いわゆる展開型の使い捨ておむつである。おむつ１０は、長手方向Ｘ及びそれに直交する幅方向Ｙを有する。
【００１２】
以下の説明において「非肌当接面側」とは、吸収体などの各部材の表裏両側（面）のうち、着用時に着用者の肌側とは反対側に配される側（面）である。「肌当接面側」とは、各部材の表裏両側（面）のうち、着用時に着用者の肌側に配される側（面）である。また、おむつ１０の長手方向に関し、腹側部側のことを「前側」ともいい、背側部側のことを「後側」ともいう。更に、おむつ１の幅方向に関する位置のことを「左右」ともいう。
【００１３】
おむつ１０は、着用者の肌当接面側に配された表面シート２１と、非肌当接面側に配された裏面シート２３と、これら両シート２１，２３間に配された縦長の吸収体２０とを備えている。表面シート２１は液透過性のシートからなり、おむつ１０の着用状態において着用者の肌に対向する。裏面シート２３は液不透過性ないし撥水性のシートからなり、着用状態において外方を向いている。
【００１４】
表面シート２１としては、例えば液透過性の不織布や穿孔フィルムなどを用いることができる。不織布を用いる場合には、該不織布は単層のものであってもよく、あるいは２層以上の不織布を積層した積層構造のものであってもよい。また表面シート２１として用いられる不織布には、その肌当接面に、複数の凸部を有する凹凸構造が形成されていてもよい。裏面シート２３としては、液不透過のフィルムを用いることができる。このフィルムは水蒸気透過性を有することが好ましい。裏面シート２３として、撥水性の不織布を用いることもできる。かかる不織布としては、例えばスパンボンド−メルトブローン−スパンボンド（ＳＭＳ）不織布や、スパンボンド−メルトブローン（ＳＭ）などの積層不織布が好適に用いられる。
【００１５】
おむつ１０は、長手方向Ｘに延びる長手方向中心線ＣＬに対して左右対称に形成されている。おむつ１０は、長手方向の中央域に位置する股下部Ｃ、並びに股下部Ｃから長手方向Ｘの前方及び後方にそれぞれ延出する腹側部Ａ及び背側部Ｂを備えている。腹側部Ａは、おむつ１０の着用時に着用者の腹側に配される。背側部Ｂは、おむつ１０の着用時に着用者の背側に配される。股下部Ｃは、おむつ１０の着用時に着用者の股下に配される。
【００１６】
おむつ１０は、腹側部Ａの幅方向Ｙの両側縁及び背側部Ｂの幅方向Ｙの両側縁それぞれが股下部Ｃの幅方向Ｙの両側縁よりも幅方向外方に延出している。股下部Ｃの幅方向Ｙの両側縁は、幅方向Ｙの内方に向かって円弧状に湾曲しており、全体として長手方向Ｘの中央域が内方に括れた形状を有している。表面シート２１及び裏面シート２３はそれぞれ、吸収体２０の幅方向Ｙの両側縁及び長手方向Ｘの両端縁から外方に延出している。表面シート２１及び裏面シート２３はそれぞれ、吸収体２０の周縁から外方に延出した延出部において直接的に又は他の部材を介在させて互いに接合されており、吸収体２０を挟持・固定している。
【００１７】
おむつ１０には、その背側部Ｂの幅方向Ｙの両側縁部に、一対のファスニングテープＦ，Ｆが設けられている。腹側部Ａの外表面（非肌当接面）、すなわち裏面シート２３の非肌当接面には、図２に示すとおりファスニングテープＦ，Ｆを止着させるランディングテープＬが設けられている。
【００１８】
おむつ１０の長手方向Ｘに沿う両側部それぞれには、防漏カフ２５が配されている。防漏カフ２５は起立性向を有し、それによっておむつ１０の側部からの液漏れを阻止するために用いられる。防漏カフ２５は、おむつ１０の長手方向Ｘに延びる固定端及び自由端を有し、該固定端が肌当接面側に位置するシート、例えば表面シート２１と接合されている。防漏カフ２５の自由端には、おむつ１０の長手方向Ｘに延びる弾性部材２５ａが伸長状態で固定されている。この弾性部材２５ａの収縮力によって、防漏カフ２５が着用者の身体側に向けて起立して、おむつ１０の側部からの液漏れを阻止する。
【００１９】
防漏カフ２５の固定端よりも幅方向Ｙの外方の位置においては、該防漏カフ２５と裏面シート２３とが接合されており、それによって一対のサイドフラップ２４が形成されている。サイドフラップ２４は、吸収体２０の長手方向Ｙに沿う両側縁から幅方向Ｙの外方に延出し且つおむつ１０の長手方向Ｘに延びている。サイドフラップ２４には、股下部Ｃにほぼ対応する部位にレッグギャザー形成用の複数本のサイドフラップ弾性部材２４ａが長手方向Ｘに沿って伸長状態で配されている。サイドフラップ弾性部材２４ａは、防漏カフ２５と裏面シート２３との間に挟持固定されている。サイドフラップ弾性部材２４ａが収縮することによって、おむつ１０の股下部Ｃにはレッグギャザーが形成される。
【００２０】
おむつ１０の背側部Ｂには、吸収体２０における背側部Ｂ側の端縁２０ｂよりも長手方向Ｘの外方に延出しているエンドフラップ部２６が形成されている。エンドフラップ部２６は、おむつ１０の幅方向Ｙに沿って延びる横長の領域からなる。エンドフラップ部２６は、主として、表面シート２１、裏面シート２３及び防漏カフ２５、並びに後述する弾性シート３０から構成されている。エンドフラップ部２６には、高剛性材料である吸収体２０は存在していない。したがってエンドフラップ部２６は低剛性のものであり、外力によって容易に変形可能になっている。
【００２１】
おむつ１０の背側部Ｂ側の長手方向Ｘに沿う端部の位置には、ウエストギャザー形成用の弾性シート３０が配置されている。弾性シート３０は、２枚のシート部材３１ａ，３１ｂの間に、おむつ１０の幅方向Ｙに沿って延びる複数本の弾性部材３２が伸長状態で挟持固定されて構成されている。それによって弾性シート３０は、幅方向Ｙに沿って伸縮可能になっている。弾性部材３２としては、例えば糸ゴム等の糸状の弾性部材を用いることが好ましい。弾性シート３０は、表面シート２０の肌当接面側に配置されており、おむつ１０の平面視において弾性シート３０と表面シート２０とは重なり部を有している。
【００２２】
また図２に示すとおり、おむつ１０の平面視において、弾性シート３０における弾性部材３２の配置領域と、吸収体２０における背側部Ｂ側の端部域とが重なっている。具体的には、吸収体２０における背側部Ｂ側の端部２０ｂが、弾性シート３０における弾性部材３２の配置領域内に位置している。弾性部材３２の配置領域とは、長手方向Ｘに関しての領域のことであり、詳細には、複数配されている弾性部材３２のうち、長手方向Ｘの最も外方に位置する弾性部材３２ａと、長手方向Ｘの最も内方に位置する弾性部材３２ｂとで挟まれた長手方向Ｘの領域のことである。したがって、弾性シート３０を構成する弾性部材３２のうち、長手方向Ｘの最も外方に位置する弾性部材３２ａの配置位置と、上述した吸収体２０における背側部Ｂ側の端縁２０ｂの位置とを比較すると、吸収体２０の端縁２０ｂよりも、弾性部材３２ａの配置位置の方が、おむつ１０における背側部Ｂの外方側に位置している。
【００２３】
先に述べた防漏カフ２５は、図２に示すとおり、弾性シート３０の肌当接面側に配置されており、おむつ１０の平面視において、防漏カフ２５と弾性シート３０とは重なり部を有している。そして防漏カフ２５と弾性シート３０とは、おむつ１０の平面視において、両者が重なる位置の少なくとも一部において接合されている。両者の接合には例えばホットメルト型接着剤等の各種接着剤による接着や、熱融着などが用いられる。特に、弾性シート３０のうち、後述する非接合領域３４と防漏カフ２５とが重なり部を有しており、該重なり部において両者が接合されていることが好ましい。
【００２４】
吸収体２０は平面視において、おむつ１０の長手方向Ｘと同方向に延びる縦長の形状をしており、長手方向Ｘに沿って延び且つおむつ１０を幅方向Ｙに二分する中心線ＣＬに対して対称形をしている。吸収体２０は、おむつ１０における腹側部Ａから背側部Ｂまでにわたって配されている。おむつ１０の平面視において吸収体２０は、背側部Ｂにおいて、上述した弾性シート３０と重なり部を有している。詳細には、おむつ１０の平面視において、吸収体２０の背側部Ｂの端部域が、弾性シート３０の配置領域に位置している。吸収体２０はその幅方向Ｙの側縁が、長手方向Ｘの中央域、すなわちおむつ１０における股下部Ｃに対応する部位において、幅方向Ｙの内方へ向けて湾曲している。
【００２５】
吸収体２０は、吸収ポリマーを含む吸収性コア２２と該吸収性コア２２を包む被覆シート２７から構成される。被覆シート２７は、少なくとも吸収性コア２２の肌当接面及び非肌当接面を被覆し、更に好ましくは吸収性コア２２の他の部位も被覆している。被覆シート２７は液透過性のものである。この観点から、被覆シート２７としては、例えばティッシュペーパーや不織布を用いることができる。特に不織布は柔軟な材料であることから、被覆シート２７として不織布を用いると、おむつ１０の着用状態において、吸収体２０が、後述する低坪量部２８の位置で変形しやすくなるので好ましい。不織布としては、例えばエアスルー不織布、スパンボンド不織布、スパンレース不織布、メルトブローン不織布、スパンボンド−メルトブローン−スパンボンド（ＳＭＳ）不織布などを用いることができる。不織布の液透過性を高める目的で、該不織布に親水化処理を施してもよい。
【００２６】
図２に示すとおり、吸収体２０は、背側部Ｂの端部域における幅方向Ｙに沿う中央域に、平面視において、該端部域の端縁２０ｂから股下部Ｃ側に向かうに連れて幅が漸減する形状の低坪量部２８を有する。この低坪量部２８は、吸収体２０を構成する部材の一つである吸収性コア２２に形成されている。低坪量部２８は、吸収体２０の平面視において略楔形の形状をしている。この楔形の先端部である股下部側先端部２８ａは、長手方向中心線ＣＬ上に位置していることが好ましい。
【００２７】
低坪量部２８は、吸収体２０の他の部位よりも坪量が相対的に低い部位である。低坪量部２８の坪量は、吸収体２０の平均坪量に対して３０質量％以下であり、２０質量％以下であることが好ましく、１０質量％以下であることが一層好ましい。低坪量部２８が吸収性コア２２に形成されている場合、該低坪量部２８の坪量はゼロであってもよい。吸収体２０の平均坪量とは、吸収体２０の質量を、該吸収体２０の平面視での面積で除した値のことである。具体的には、次の操作を行い平均坪量を算出する。吸収性コア２２における低坪量部２８を他の部位との境界線に沿ってフェザー社製片刃剃刀を用いて切断する。切断して得られた低坪量部２８の小片をそれぞれ電子天秤(Ａ＆Ｄ社製電子天秤ＧＲ−３００、精度：小数点以下４桁)を用いて測定し、低坪量部２８の小片の重量を求める。求めた重量を低坪量部２８の面積で除して低坪量部２８の坪量を算出する。なお前記境界が明確でない場合は、低坪量部２８と他の部位との間で坪量が連続的又は非連続的に変化する領域の中心を境界として測定を行う。
【００２８】
図３（ａ）及び（ｂ）には、吸収性コア２２に低坪量部２８が形成された吸収体２０の要部が示されている。同図に示す吸収体２０では、低坪量部２８の坪量はゼロであり、吸収性コア２２にその端縁２２ｂの位置から長手方向Ｘの内方に向けて延びる略楔形の切り欠き部が形成されている。つまり低坪量部２８は、吸収性コア２２を略楔形に切り欠いた切り欠き部からなる。吸収性コア２２の肌当接面及び非肌当接面が被覆シート２７によって被覆されていることは先に述べたとおりであるところ、低坪量部２８、すなわち切り欠き部においても、吸収性コア２２の肌当接面及び非肌当接面に被覆シート２７が位置している。しかし低坪量部２８には何らの材料も存在していないので、該低坪量部２８に位置する上下の被覆シート２７どうしは、直接に接しており且つ接着剤２７ａ等の接合手段によって接合している。この接合によって、楔形の切り欠き部の形状が、おむつ１０の着用状態においても安定的に保たれる。
【００２９】
吸収体２０に切り欠き部等を始めとする低坪量部２８が形成されていることによって、おむつ１０の着用状態において、該低坪量部２８を起点として吸収体２０が変形しやすくなる。特に、低坪量部２８が、吸収体２０の端縁２０ｂから長手方向Ｘの内方に向かって幅が漸減する楔形の形状をしていること、及び吸収体２０の上側に弾性シート３０が配置されていることに起因して、つまり吸収体２０の低坪量部２８の肌当接面側に弾性シート３０が配置されていることに起因して、低坪量部２８の周囲の領域が、おむつ１０を着用している状態の着用者の身体から離れる方向、すなわち外方に向けて凸状に変形しやすくなる。その結果、上述した弾性シート３０からなるウエストギャザーと、変形した吸収体２０との間に、排泄部の受け入れ性が向上したポケット状の空間がより形成されやすくなる。これによって、背側部の端部からの排泄物の漏れを一層確実に防止することができる。
【００３０】
特に、低坪量部２８に隣接する部位であるエンドフラップ部２６は、主としてシート材料から構成される剛性の低い領域であることに起因して、吸収体２０における該低坪量部２８の周囲の領域が一層変形しやすくなる。その結果、前記のポケット状の空間が一層形成されやすくなる。
【００３１】
図４には、おむつ１０における背側部Ｂの要部が示されている。なお同図においては、防漏カフ２５の図示は省略されている。同図に示すとおり、背側部Ｂの幅方向Ｙの両側縁部には一対のファスニングテープＦ，Ｆが設けられている。ファスニングテープＦは、おむつ１０の背側部Ｂに固定される固定部Ｆ１と、該固定部Ｆ１から幅方向Ｙの外方に延出した延出部Ｆ２とを有する。延出部Ｆ２は、上述したランディングテープＬ（図１及び図２参照）に止着可能な止着部Ｆ３を有している。止着部Ｆ３は、例えば面ファスナのフック部材や、粘着剤から構成されている。
【００３２】
ファスニングテープＦにおける固定部Ｆ１は、長手方向Ｘに沿う長さＬ、及び幅方向Ｙに沿う幅Ｗを有する領域である。各固定部Ｆ１の位置は、長手方向Ｘに沿ってみたときに同位置にある。つまり、各固定部Ｆ１における長手方向Ｘの外方側端縁Ｆ１ａ、及び長手方向Ｘの内方側端縁Ｆ１ｂは、長手方向Ｘに沿ってみたときに同位置にある。ここで、一対のファスニングテープＦ，Ｆそれぞれの固定部Ｆ１どうしの間で画定される幅方向Ｙに延びる横長の領域ＦＢを考える。領域ＦＢは、図４中、長手方向Ｘに関しては、一点鎖線４１と、同じく一点鎖線４２との間の領域であって、幅方向Ｙに関しては、２つの固定部Ｆ１，Ｆ１によって挟まれた領域である。一点鎖線４１は、２つの固定部Ｆ１，Ｆ１における外方側端縁Ｆ１ａ，Ｆ１ａどうしを結んで形成された線である。一点鎖線４２は、２つの固定部Ｆ１，Ｆ１における内方側端縁Ｆ１ｂ，Ｆ１ｂどうしを結んで形成された線である。領域ＦＢは、一対のファスニングテープＦ，Ｆをそれぞれ幅方向Ｙの外方に向けて引っ張ったときにその引張力が最も伝達されやすい領域である。
【００３３】
図４に示すとおり、領域ＦＢ内には、弾性シート３０を構成する弾性部材３２のうちの少なくとも一つが含まれている。したがって、一対のファスニングテープＦ，Ｆをそれぞれ幅方向Ｙの外方に向けて引っ張ると、その引張力が領域ＦＢ内に含まれている弾性部材３２に効率的に伝達され、弾性シート３０は幅方向Ｙの外方に向けて容易に伸長する。
【００３４】
また、領域ＦＢ内には、吸収体２０の端縁２０ｂを含む端部域が含まれている。吸収体２０の端部域には上述した低坪量部２８が形成されており、該低坪量部２８も領域ＦＢ内に含まれている。ただし、低坪量部２８の股下部側先端部２８ａは、領域ＦＢを越えて股下部Ｃ寄りの位置に位置している。
【００３５】
図５には、おむつ１０における背側部Ｂを、図４とは別の見方で表した状態が示されている。なお同図においては、図４と同様に防漏カフ２５の図示は省略されている。同図に示すとおり、弾性シート３０は、吸収体２０と平面視において重なる領域以外の領域であって且つエンドフラップ部２６を含む領域３３、すなわち、図５中、右上がりのハッチングで表した領域３３（以下、この領域のことを「接合領域３３」という。）において、弾性シート３０の非肌当接面が、該非肌当接面と対向する部材に接合されている。具体的には、弾性シート３０は、その非肌当接面が、表面シート２１及び裏面シート２３の肌当接面と接合されている。この接合には、例えばホットメルト型接着剤等の各種接着剤による接着や、熱融着などが用いられる。
【００３６】
また図５に示すとおり、弾性シート３０は、吸収体２０と平面視において重なる領域において、該弾性シート３０が、表面シート２０と非接合状態になっている。具体的には、弾性シート３０の非肌当接面のうち、吸収体２０と平面視において重なる領域及び該領域を囲む領域、すなわち、図５中、左上がりの一点鎖線のハッチングで示す領域３４（以下、この領域３４のことを「非接合領域３４」という。）において、弾性シート３０が、表面シート２０と非接合状態になっている。非接合領域３４は、弾性シート３０における長手方向Ｘの内方側の端縁３０ｅを含んでいる。
【００３７】
以上の構成を有する本実施形態のおむつ１０においては、これを着用者の身体に装着すると、各防漏カフ２５が着用者の身体に向けて起立する。また、各ファスニングテープＦ，Ｆが幅方向Ｙの外方に向けて引っ張られることに起因して、弾性シート３０のうち、非接合領域３４の部分が着用者の身体に向けて起立する。これとともに、吸収体２０における背側部Ｂ側の端部域が、該端部域に形成された低坪量部２８を起点として着用者の身体から離れる方向に向けて凸状に突出するように変形する。更に、おむつ１０においては、弾性シート３０の肌当接面側に、防漏カフ２５が配置されており、且つ該弾性シート３０と該防漏カフ２５とは両者が重なる領域において接合されていることから、弾性シート３０の起立が防漏カフ２５に伝達され、それによって弾性シート３０の起立に連動して防漏カフ２５の起立が一層促進される。その結果、本実施形態のおむつ１０においては、該おむつ１０の両側部の長手方向Ｘにわたって、且つ背側部Ｂの幅方向Ｙにわたって、すなわち三方にわたって排泄物の流出を阻止する堰が形成される。その結果、背側部Ｂからの排泄物の漏れが効果的に防止される。
【００３８】
特に、弾性シート３０が吸収体２０と平面視において重なる領域を含む非接合領域３４において、弾性シート３０が、表面シート２０と非接合状態になっているとともに、それ以外の領域、すなわち接合領域３３において弾性シート３０の非肌当接面が、該非肌当接面に対向する部材と接合されていると、非接合領域３４の三方が接合領域３３によって囲まれることになる。その結果、弾性シート３０と表面シート２０との間で画成され且つ股下部Ｃ側に向けて開口したポケット状の空間（図示せず）が一層効果的に形成され、排泄物の受け入れ性が一層向上するので好ましい。
【００３９】
とりわけ、図４に示すとおり、おむつ１０の平面視において弾性シート３０の幅方向Ｙの側縁部３０ａ，３０ａと、一対のファスニングテープそれぞれの固定部Ｆ１，Ｆ１とが重なっていると、すなわち弾性シート３０の側縁部３０ａが、ファスニングテープＦの固定部Ｆ１に配置されていると、各ファスニングテープＦ，Ｆを幅方向Ｙの外方に向けて引っ張ることによって生じる引張力が弾性シート３０に一層確実に伝達されるので、該弾性シート３０における非接合領域３４が一層起立するようになる。
【００４０】
また、図２に示すとおり、防漏カフ２５の自由端に、長手方向Ｘに沿って延びるように伸長状態で固定された弾性部材２５ａにおける背側部Ｂ側の端部が、弾性シート３０の配置領域に位置していると、弾性シート３０の起立が防漏カフ２５に一層効果的に伝達され、弾性シート３０の起立に連動して起立する防漏カフ２５の起立性が更に一層良好になるので好ましい。この効果を一層顕著なものとする観点から、弾性部材２５ａにおける背側部Ｂ側の端部は、弾性シート３０における弾性部材３２の配置領域に位置していることが好ましい。
【００４１】
以上、本発明をその好ましい実施形態に基づき説明したが、本発明は前記実施形態に制限されない。例えば図３に示す実施形態においては、吸収体２０に形成された低坪量部２８の坪量はゼロであったが、吸収体２０の平均坪量よりも低いことを条件として、低坪量部２８は所定の坪量を有していてもよい。その場合、低坪量部２８の厚みは、吸収体２０における該低坪量部２８以外の部位の厚みと同じであってもよく、あるいは低坪量部２８以外の部位の厚みよりも小さくなっていてもよい。
【００４２】
また前記実施形態における低坪量部２８は、平面視において、長手方向Ｘの内方に向けて幅が漸減した略楔形の形状をしていたが、長手方向Ｘの内方に向けて幅が漸減している限り、略楔形以外の形状をしていてもよい。例えば、先に述べた特許文献２の図２に記載されているように、吸収体２０の平面視において、吸収体２０における低坪量部２８と、該低坪量部２８以外の部位との境界が、幅方向Ｙの内方に向けて凸となるような曲線になっていてもよい。
【００４３】
また前記実施形態においては、吸収体２０の幅方向Ｙに沿う中央域に一つの低坪量部２８が形成されていたが、これに加えて吸収体２０における他の部位に低坪量部が形成されていてもよい。
【００４４】
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４５】
上述した実施形態に関し、本発明は更に以下の吸収性物品を開示する。
＜１＞
表面シート、裏面シート及び該表面シートと該裏面シートとの間に配置された吸収体を備え、長手方向の中央域に位置する股下部と該股下部から長手方向の前後に延出する腹側部及び背側部とを有し、該背側部の幅方向の両側縁部に一対のファスニングテープが設けられている吸収性物品であって、
前記背側部には、前記吸収体の端縁よりも長手方向の外方に延出しており且つ幅方向に延びるエンドフラップ部が形成されており、
前記背側部には、２枚のシート間に複数の弾性部材が伸長状態で固定されてなり、且つ幅方向に沿って伸縮可能な弾性シートが、前記表面シートの肌当接面側に配置されており、
前記弾性シートは、前記吸収体と平面視において重なる領域以外の領域であって且つ前記エンドフラップ部を含む領域において、該弾性シートの非肌当接面が、該非肌当接面と対向する部材に接合されているとともに、該弾性シートが該吸収体と平面視において重なる領域において、前記表面シートと非接合状態になっており、
前記物品の長手方向に沿う両側部それぞれに防漏カフが配置されており、該防漏カフは、前記弾性シートの肌当接面側に位置しており、
前記防漏カフと前記弾性シートとは、両者が重なる位置において接合されており、
前記吸収体は、背側部の端部域における幅方向中央域に、該端部域の端縁から前記股下部側に向かうに連れて幅が漸減する形状の低坪量部を有し、該低坪量部の坪量は、該吸収体の平均坪量に対して３０質量％以下であり、
一対の前記ファスニングテープそれぞれの固定部どうしの間で画定される幅方向に延びる領域内に、前記弾性シートを構成する前記弾性部材の少なくとも一つが含まれるとともに、前記吸収体の前記端部域が含まれ、且つ該領域を越えて前記股下部寄りの位置に、前記低坪量部の股下部側先端部が位置している、吸収性物品。
【００４６】
＜２＞
平面視において前記弾性シートの幅方向の各側縁部と、一対の前記ファスニングテープそれぞれの前記固定部とが重なっている前記＜１＞に記載の吸収性物品。
＜３＞
前記防漏カフの自由端に、長手方向に延びる弾性部材が伸長状態で固定されており、
前記背側部において、前記弾性部材の端部が、前記弾性シートの配置領域に位置している前記＜１＞又は＜２＞に記載の吸収性物品。
＜４＞
前記弾性シートと前記表面シートとの間で画成され且つ股下部側に向けて開口したポケット状の空間が形成されている前記＜１＞ないし＜３＞のいずれか１に記載の吸収性物品。
＜５＞
前記弾性シートの非肌当接面のうち、前記吸収体と平面視において重なる領域及び該領域を囲む領域である非接合領域が、該弾性シートにおける長手方向の内方側の端縁を含んでいる前記＜１＞ないし＜４＞のいずれか１に記載の吸収性物品。
＜６＞
前記弾性シートの非肌当接面のうち、前記吸収体と平面視において重なる領域及び該領域を囲む領域である非接合領域と、前記防漏カフとが重なり部を有しており、該重なり部において両者が接合されている前記＜１＞ないし＜５＞のいずれか１に記載の吸収性物品。
【００４７】
＜７＞
前記吸収性物品の平面視において前記弾性シートの幅方向の側縁部と、一対のファスニングテープそれぞれの固定部とが重なっている前記＜１＞ないし＜６＞のいずれか１に記載の吸収性物品。
＜８＞
前記弾性シート３０の幅方向の側縁部が、前記ファスニングテープの固定部に配置されている前記＜１＞ないし＜７＞のいずれか１に記載の吸収性物品。
＜９＞
前記吸収体が、吸収性コアと、該吸収性コアの肌当接面及び非肌当接面を被覆する被覆シートとを有し、該被覆シートが液透過性の不織布からなる前記＜１＞ないし＜８＞のいずれか１に記載の吸収性物品。
＜１０＞
前記吸収体が、吸収性コアと、該吸収性コアの肌当接面及び非肌当接面を被覆する被覆シートとを有し、
前記吸収性コアに前記低坪量部が形成されており、
前記低坪量部の坪量がゼロであり、それによって該低坪量部においては、前記吸収性コアの肌当接面及び非肌当接面を被覆する前記被覆シートどうしが直接に接合されている前記＜１＞ないし＜６＞のいずれか１に記載の吸収性物品。
＜１１＞
低坪量部２８は、吸収性コア２２を略楔形に切り欠いた切り欠き部からなる前記＜１＞ないし＜＞のいずれか１に記載の吸収性物品。
【００４８】
＜１２＞
前記低坪量部が、前記吸収体の端縁から長手方向の内方に向かって幅が漸減する楔形の形状をしている前記＜１＞ないし＜１１＞のいずれか１に記載の吸収性物品。
＜１３＞
前記腹側部の幅方向の両側縁及び背側部の幅方向の両側縁それぞれが前記股下部の幅方向の両側縁よりも幅方向外方に延出している前記＜１＞ないし＜１２＞のいずれか１に記載の吸収性物品。
＜１４＞
前記股下部の幅方向の両側縁は、幅方向の内方に向かって円弧状に湾曲しており、全体として長手方向の中央域が内方に括れた形状を有している前記＜１＞ないし＜１３＞のいずれか１に記載の吸収性物品。
＜１５＞
前記表面シート及び前記裏面シートはそれぞれ、前記吸収体の幅方向の両側縁及び長手方向に両端縁から外方に延出しており、
前記表面シート及び前記裏面シートはそれぞれ、前記吸収体の周縁から外方に延出した延出部において直接的に又は他の部材を介在させて互いに接合されており、該吸収体を挟持・固定している前記＜１＞ないし＜１４＞のいずれか１に記載の吸収性物品。
＜１６＞
前記裏面シートの非肌当接面に、ファスニングテープを止着させるランディングテープが設けられている前記＜１＞ないし＜１５＞のいずれか１に記載の吸収性物品。
【００４９】
＜１７＞
前記防漏カフは、前記吸収性物品の長手方向に延びる固定端及び自由端を有し、
前記固定端よりも幅方向の外方の位置においては、該防漏カフと前記裏面シートとが接合されており、それによって一対のサイドフラップが形成されており、
前記サイドフラップは、前記吸収体の長手方向に沿う両側縁から幅方向の外方に延出し且つ前記吸収性物品の長手方向に延びており、
前記サイドフラップには、前記股下部にほぼ対応する部位にレッグギャザー形成用の複数本のサイドフラップ弾性部材が長手方向Ｘに沿って伸長状態で配されており、
前記サイドフラップ弾性部材は、前記防漏カフと前記裏面シートとの間に挟持固定されている前記＜１＞ないし＜１６＞のいずれか１に記載の吸収性物品。
＜１８＞
前記弾性シートを構成する前記弾性部材のうち、長手方向の最も外方に位置する弾性部材の配置位置と、前記吸収体における前記背側部側の端縁の位置とを比較すると、該吸収体の端縁よりも、長手方向の最も外方に位置する該弾性部材の配置位置の方が、前記吸収性物品における前記背側部の外方側に位置している前記＜１＞ないし＜１７＞のいずれか１に記載の吸収性物品。
【符号の説明】
【００５０】
１０  使い捨ておむつ
２０  吸収体
２０ｂ  端縁
２１  表面シート
２２  吸収性コア
２２ｂ  端縁
２３  裏面シート
２４  サイドフラップ
２５  防漏カフ
２６  エンドフラップ部
２７  被覆シート
２８  低坪量部
２８ａ  股下部側先端部
３０  弾性シート
３１ａ，３１ｂ  シート部材
３２  弾性部材
３３  接合領域
３４  非接合領域
【図１】
0006473327.tif 000002
【図２】
0006473327.tif 000003
【図３】
0006473327.tif 000004
【図４】
0006473327.tif 000005
【図５】
0006473327.tif 000006